(57)【要約】【課題】この発明は掛け布団に対して容易に着脱できるようにした掛け布団カバーを提供することにある。【解決手段】掛け布団を被覆するための掛け布団カバーにおいて、上記掛け布団４の下面を被覆するとともにこの掛け布団よりも長さ寸法が長く形成され長手方向の一端部が衿布１１となる裏地２と、上記掛け布団の上面を被覆するとともにこの掛け布団とほぼ同じ長さ寸法に形成された表地３と、上記表地と裏地との長手方向一端側の一辺を除く三辺を着脱可能に連結したファスナ５，６と、上記裏地の一端部の衿布を上記表地の一端部の上面側に折り返したときにこの衿布を上記表地に着脱可能に連結するボタン孔とボタン９とを具備する。【選択図】　　図２
2004033564.tif 000002
【特許請求の範囲】
【請求項１】
掛け布団を被覆するための掛け布団カバーにおいて、
上記掛け布団の下面を被覆するとともにこの掛け布団よりも長さ寸法が長く形成され長手方向の一端部が衿布となる裏地と、
上記掛け布団の上面を被覆するとともにこの掛け布団とほぼ同じ長さ寸法に形成された表地と、
上記表地と裏地との長手方向一端側の一辺を除く三辺を着脱可能に連結したファスナと、
上記裏地の一端部の衿布を上記表地の一端部の上面側に折り返したときにこの衿布を上記表地に着脱可能に連結する第１の連結手段と、
を具備したことを特徴とする掛け布団カバー。
【請求項２】
上記第１の連結手段は、上記表地の一端部上面に設けられたボタンと、上記裏地の一端部に設けられた上記ボタンを係合させるためのボタン孔とによって形成されていることを特徴とする請求項１記載の布団カバー。
【請求項３】
上記裏地は上記掛け布団に第２の連結手段によって着脱可能に連結されており、
上記第２の連結手段は、上記裏地の内面周辺部に一端を連結して設けられ、他端部がホックによってループ状に形成可能であって、この他端部が上記掛け布団の周辺部に設けられたループ部材に連結される連結部材であることを特徴とする請求項１記載の掛け布団カバー。
【発明の詳細な説明】
【０００１】
【発明の属する技術分野】
この発明は掛け布団を被覆するための掛け布団カバーに関する。
【０００２】
【従来の技術】
掛け布団には、この掛け布団の外装地が汚れたり、早期に損傷するのを防止するなどの目的で掛け布団カバーが使用される。掛け布団カバーは、周知のように布団の形状に対応する矩形状の表裏二枚の布地の三辺を縫製するとともに、残りの一辺を開口させ、この一辺をファスナによって開閉可能に構成する。そして、掛け布団カバーの開閉可能な一辺から内部に掛け布団を収容した後、その一辺のファスナを閉じて使用される。
【０００３】
しかしながら、掛け布団カバーの一辺だけにファスナを設けるようにしたのでは、掛け布団に対して掛け布団カバーを着脱し難くいため、掛け布団カバーの交換作業に手間が掛かるということある。
【０００４】
掛け布団カバーは、利用者の身体に接する裏地の方が表地に比べて汚れ易いということあり、表地は利用者の首に対応する部分が他の部分に比べて汚れ易いということがある。
【０００５】
従来の掛け布団カバーは、上述したように表地と裏地とを袋状に縫製して形成されている。そのため、裏地や表地のどちらか一方が汚れた場合であって、布団カバー全体を洗濯しなければならないということがあるばかりか、袋状に縫製されていると、洗濯後の乾きが悪いということもある。
【０００６】
【発明が解決しようとする課題】
このように、従来の掛け布団カバーは、裏地と表地を袋状に縫製してなるため、掛け布団に対して着脱し難いということがあったり、一部が汚れても全体を洗濯しなければならないということなどがあった。
【０００７】
この発明は、掛け布団に対して着脱が容易に行なえるばかりか、裏地と表地とを分けて洗濯することができるようにした掛け布団カバーを提供することにある。
【０００８】
【課題を解決するための手段】
請求項１の発明は、掛け布団を被覆するための掛け布団カバーにおいて、
上記掛け布団の下面を被覆するとともにこの掛け布団よりも長さ寸法が長く形成され長手方向の一端部が衿布となる裏地と、
上記掛け布団の上面を被覆するとともにこの掛け布団とほぼ同じ長さ寸法に形成された表地と、
上記表地と裏地との長手方向一端側の一辺を除く三辺を着脱可能に連結したファスナと、
上記裏地の一端部の衿布を上記表地の一端部の上面側に折り返したときにこの衿布を上記表地に着脱可能に連結する第１の連結手段と、
を具備したことを特徴とする掛け布団カバーにある。
【０００９】
請求項２の発明は、上記第１の連結手段は、上記表地の一端部上面に設けられたボタンと、上記裏地の一端部に設けられた上記ボタンを係合させるためのボタン孔とによって形成されていることを特徴とする請求項１記載の布団カバーにある。
【００１０】
請求項３の発明は、上記裏地は上記掛け布団に第２の連結手段によって着脱可能に連結されており、
上記第２の連結手段は、上記裏地の内面周辺部に一端を連結して設けられ、他端部がホックによってループ状に形成可能であって、この他端部が上記掛け布団の周辺部に設けられたループ部材に連結される連結部材であることを特徴とする請求項１記載の掛け布団カバーにある。
【００１１】
この発明によれば、裏地と表地とがファスナによって分解可能であるから、掛け布団に対して容易に着脱することができ、しかも裏地の一部を衿布として利用するため、表地が汚れるのを防止することができる。
【００１２】
【発明の実施の形態】
以下、図面を参照しながらこの発明の実施の形態を説明する。
【００１３】
図１はこの発明の一実施の形態に係る掛け布団カバー１を示し、この掛け布団カバー１は図２に示すように裏地２と表地３とを有する。図３（ａ）〜（ｃ）はそれぞれ裏地２の平面図、掛け布団カバー１によって被覆される掛け布団４の平面図、及び表地３の平面図を示す。裏地２は掛け布団４よりも長尺な矩形状に形成され、表地３は掛け布団４とほぼ同じ大きさの矩形状に形成されている。
【００１４】
裏地２の長手方向一端を除く三辺には第１のファスナ５が設けられ、表地３の長手方向一端を除く三辺には第２のファスナ６が設けられている。第１のファスナ５と第２のファスナ６とは、上記第１のファスナ５に設けられた一対のスライダ７によって開閉可能となっている。
【００１５】
つまり、裏地２と表地３との長手方向一端側の一辺を除く三辺は上記第１、第２のファスナ５，６によって着脱可能に連結され、それによって掛け布団カバー１は長手方向一端が開口した袋状となる。
【００１６】
上記裏地２の長手方向一端には複数のボタン孔８が幅方向に沿って所定間隔で形成されている。上記表地３の長手方向一端部の上面には上記ボタン孔８と対応する間隔で複数のボタン９が設けられている。
【００１７】
上記裏地２の長手方向一端部を表地３の上面側に折り返してボタン孔８にボタン９を係着すれば、その状態で裏地２の長手方向一端部を保持することができる。それによって、裏地２の長手方向一端部は表地３の長手方向一端部の上面側を覆う衿布１１となる。
【００１８】
上記掛け布団４の周辺部には、図３（ｂ）に示すように紐をループ状に縫い付けたループ部材１２が所定間隔で設けられている。
【００１９】
図３（ａ）に示すように、上記裏地２の内面の周辺部には、上記掛け布団４のループ部材１２と対応する位置に、帯状布からなる複数の連結部材１３が一端を縫着して設けられている。各連結部材１３の他端部にはオス側とメス側との一対のホック１４が設けられている。したがって、上記一対のホック１４を係着すれば、連結部材１２の他端部をループ状に連結することができる。
【００２０】
図３（ｃ）に示すように、上記表地３の長手方向一端の幅方向中央には、掛け布団４に設けられたループ部材１２と同様のループ部材１５が設けられている。
【００２１】
上記構成の掛け布団カバー１によって掛け布団４を被覆する場合には、裏地２の内面に掛け布団４を載置する。そして、掛け布団４の周辺部に設けられたループ部材１２に、裏地２の内面に設けられた連結部材１３の他端部を挿通し、一対のホック１４を係着してループ状にする。それによって、裏地３は掛け布団４の下面に連結される。
【００２２】
裏地３を掛け布団４に連結したならば、掛け布団４の上面に表地３を被覆し、この表地３の一端に設けられたループ部材１５を、掛け布団４の長手方向一端に設けられたループ部材１２とともに連結部材１３によって連結する。それによって、表地３も掛け布団４に連結される。
【００２３】
つぎに、裏地２と表地３との一端を除く三辺に設けられた第１、第２のファスナ５、６をスライダ７によって係着させる。それによって、裏地２と表地３との長手方向一端を除く三辺が連結される。
【００２４】
裏地２と表地３との三辺を連結したならば、裏地２の長手方向一端部の衿布１１を表地３の長手方向一端部の上面側に折り返し、その端部に形成されたボタン孔８にボタン９を係着する。それによって、掛け布団４を掛け布団カバー１によって被覆することができる。
【００２５】
このように、この発明の掛け布団カバー１は、裏地２と表地３とが第１、第２のファスナ５、６によって分解可能に連結されている。そのため、上記ファスナ５、６を係脱させることで、掛け布団４に掛け布団カバー１を取り付けたり、取り外すことができるから、掛け布団カバー１が袋状に縫製されている場合に比べ、掛け布団４に対する着脱作業を容易に行なうことが可能となる。
【００２６】
裏地２は連結部材１３によって掛け布団４に連結されている。そのため、掛け布団カバー１は掛け布団４に対してずれ動くことなく使用することができる。
【００２７】
表地３の一端部の幅方向中央部にループ部材１５を設け、このループ部材１５を掛け布団４のループ部材１２に裏地２に設けられた連結部材１３を介して連結した。そのため、衿布１１を表地３の一端部上面に着脱する際に、この表地３の一端部が浮き上がるのが防止されるから、表地３に対する衿布１１の着脱がし易い。
【００２８】
裏地２と表地３とを分解できるから、これらを別々に洗濯することが可能である。たとえば、裏地２を表地３よりも長尺に形成し、その長手方向一端部を表地３の長手方向一端部の上面を覆う衿布１１として利用できるようにした。そのため、掛け布団カバー１は、裏地２だけが利用者の身体に接触して汚れ易く、表地３はほとんど汚れないから、汚れ易い裏地２だけを頻繁に洗濯することが可能である。
【００２９】
また、洗濯された裏地２と表地３とを別々に乾すことができるから、袋状の場合に比べて乾燥させ易いということもある。
【００３０】
さらに、絵柄の異なる複数枚の表地３を用意しておけば、表地３だけを交換することで、掛け布団カバー１の絵柄を利用者の好みなどに応じて簡単に変えることができる。
【００３１】
上記一実施の形態では、裏地の衿布となる長手方向の一端部にボタン孔を形成し、このボタン孔に表地に設けられたボタンを係着して衿布を折り返した状態で保持するようにしたが、ボタン孔とボタンとに代わり、衿布と表地との両者にそれぞれベルベットファスナやホックを設け、これらを係着することで、衿布を折り返した状態で保持するようにしてもよい。
【００３２】
【発明の効果】
以上のようにこの発明によれば、表地と裏地との一端を除く三辺をファスナによって着脱可能に連結し、裏地の一端部は表地の上面側に折り返し、この表地に着脱可能に連結して衿布として利用するようにした。
【００３３】
そのため、裏地と表地とは分解可能であるから、掛け布団に対して掛け布団カバーを容易に着脱したり、裏地と表地とを別々に洗濯するなどのことができる。さらに、裏地の一端部を衿布として利用したから、表地が汚れ難くくなり、裏地に比べて表地の洗濯回数を少なくできる。
【図面の簡単な説明】
【図１】この発明の一実施の形態に係る掛け布団カバーの斜視図。
【図２】掛け布団に掛け布団カバーを取付けた状態を示す断面図。
【図３】（ａ）は裏地の平面図、（ｂ）は掛け布団の平面図、（ｃ）は表地の平面図。
【符号の説明】
１…掛け布団カバー
２…裏地
３…表地
４…掛け布団
５…第１のファスナ
６…第２のファスナ
８…ボタン孔（第１の連結手段）
９…ボタン（第１の連結手段）
１１…衿布
１２…ループ部材
１３…連結部材
【図１】
2004033564.tif 000003
【図２】
2004033564.tif 000004
【図３】
2004033564.tif 000005